(57)【特許請求の範囲】
【請求項１】
多数の楽曲情報から選択される楽曲情報に基づいて演奏曲の出力を行うカラオケ装置を備えたカラオケシステムであって、
音声入力装置から入力された音声情報に基づいて、該音声情報の入力主体である利用者の歌唱音声に係る音域を判定する音域判定制御手段と、
前記音域判定制御手段により判定された音域に関する音域情報を、該音域情報に対応する利用者の識別情報と対応付けてデータベースに記憶させる音域記憶制御手段と、
各利用者に対応して前記データベースに記憶された前記音域情報に基づいて、第１音域と、該第１音域よりも広い音域に対応する第２音域とを、特定する利用者音域特定手段と、
前記多数の楽曲情報のうち、最低音から最高音までの音域が、前記利用者音域特定手段により特定された前記第１音域に適合する単数又は複数の楽曲情報を抽出する第１楽曲抽出制御と、前記第２音域に適合する単数又は複数の楽曲情報を抽出する第２楽曲抽出制御とを、選択的に実行する楽曲抽出制御手段とを、備え、
前記利用者音域特定手段は、各利用者に対応して前記データベースに記憶された複数の前記音域情報に関して、規定数以上の音域情報に重複して含まれる音域を前記第１音域として特定し、少なくとも１つの音域情報に含まれる音域を前記第２音域として特定するものである
ことを特徴とするカラオケシステム。
【請求項２】
多数の楽曲情報から選択される楽曲情報に基づいて演奏曲の出力を行うカラオケ装置を備えたカラオケシステムであって、
音声入力装置から入力された音声情報に基づいて、該音声情報の入力主体である利用者の歌唱音声に係る音域を判定する音域判定制御手段と、
前記音域判定制御手段により判定された音域に関する音域情報を、該音域情報に対応する利用者の識別情報と対応付けてデータベースに記憶させる音域記憶制御手段と、
各利用者に対応して前記データベースに記憶された前記音域情報に基づいて、第１音域と、該第１音域よりも広い音域に対応する第２音域とを、特定する利用者音域特定手段と、
前記多数の楽曲情報のうち、最低音から最高音までの音域が、前記利用者音域特定手段により特定された前記第１音域に適合する単数又は複数の楽曲情報を抽出する第１楽曲抽出制御と、前記第２音域に適合する単数又は複数の楽曲情報を抽出する第２楽曲抽出制御とを、選択的に実行する楽曲抽出制御手段とを、備え、
前記楽曲抽出制御手段は、前記カラオケ装置を用いてカラオケ演奏を行っている利用者の人数に応じて、前記第１楽曲抽出制御及び前記第２楽曲抽出制御の何れか一方を選択的に実行するものである
ことを特徴とするカラオケシステム。
【請求項３】
多数の楽曲情報から選択される楽曲情報に基づいて演奏曲の出力を行うカラオケ装置を備えたカラオケシステムであって、
音声入力装置から入力された音声情報に基づいて、該音声情報の入力主体である利用者の歌唱音声に係る音域を判定する音域判定制御手段と、
前記音域判定制御手段により判定された音域に関する音域情報を、該音域情報に対応する利用者の識別情報と対応付けてデータベースに記憶させる音域記憶制御手段と、
各利用者に対応して前記データベースに記憶された前記音域情報に基づいて、第１音域と、該第１音域よりも広い音域に対応する第２音域とを、特定する利用者音域特定手段と、
前記多数の楽曲情報のうち、最低音から最高音までの音域が、前記利用者音域特定手段により特定された前記第１音域に適合する単数又は複数の楽曲情報を抽出する第１楽曲抽出制御と、前記第２音域に適合する単数又は複数の楽曲情報を抽出する第２楽曲抽出制御とを、選択的に実行する楽曲抽出制御手段とを、備え、
前記楽曲抽出制御手段は、前記カラオケ装置を用いてカラオケ演奏を行っている利用者の性別に応じて、前記第１楽曲抽出制御及び前記第２楽曲抽出制御の何れか一方を選択的に実行するものである
ことを特徴とするカラオケシステム。
【請求項４】
多数の楽曲情報から選択される楽曲情報に基づいて演奏曲の出力を行うカラオケ装置を備えたカラオケシステムであって、
音声入力装置から入力された音声情報に基づいて、該音声情報の入力主体である利用者の歌唱音声に係る音域を判定する音域判定制御手段と、
前記音域判定制御手段により判定された音域に関する音域情報を、該音域情報に対応する利用者の識別情報と対応付けてデータベースに記憶させる音域記憶制御手段と、
各利用者に対応して前記データベースに記憶された前記音域情報に基づいて、第１音域と、該第１音域よりも広い音域に対応する第２音域とを、特定する利用者音域特定手段と、
前記多数の楽曲情報のうち、最低音から最高音までの音域が、前記利用者音域特定手段により特定された前記第１音域に適合する単数又は複数の楽曲情報を抽出する第１楽曲抽出制御と、前記第２音域に適合する単数又は複数の楽曲情報を抽出する第２楽曲抽出制御とを、選択的に実行する楽曲抽出制御手段とを、備え、
前記楽曲抽出制御手段は、前記カラオケ装置を用いてカラオケ演奏を行っている利用者の年齢に応じて、前記第１楽曲抽出制御及び前記第２楽曲抽出制御の何れか一方を選択的に実行するものである
ことを特徴とするカラオケシステム。
【請求項５】
多数の楽曲情報から選択される楽曲情報に基づいて演奏曲の出力を行うカラオケ装置を備えたカラオケシステムであって、
音声入力装置から入力された音声情報に基づいて、該音声情報の入力主体である利用者の歌唱音声に係る音域を判定する音域判定制御手段と、
前記音域判定制御手段により判定された音域に関する音域情報を、該音域情報に対応する利用者の識別情報と対応付けてデータベースに記憶させる音域記憶制御手段と、
各利用者に対応して前記データベースに記憶された前記音域情報に基づいて、第１音域と、該第１音域よりも広い音域に対応する第２音域とを、特定する利用者音域特定手段と、
前記多数の楽曲情報のうち、最低音から最高音までの音域が、前記利用者音域特定手段により特定された前記第１音域に適合する単数又は複数の楽曲情報を抽出する第１楽曲抽出制御と、前記第２音域に適合する単数又は複数の楽曲情報を抽出する第２楽曲抽出制御とを、選択的に実行する楽曲抽出制御手段とを、備え、
前記楽曲抽出制御手段は、前記カラオケ装置によるカラオケ演奏において各利用者が現時点までに演奏した演奏曲に応じて、前記第１楽曲抽出制御及び前記第２楽曲抽出制御の何れか一方を選択的に実行するものである
ことを特徴とするカラオケシステム。
【請求項６】
多数の楽曲情報から選択される楽曲情報に基づいて演奏曲の出力を行うカラオケ装置を備えたカラオケシステムであって、
音声入力装置から入力された音声情報に基づいて、該音声情報の入力主体である利用者の歌唱音声に係る音域を判定する音域判定制御手段と、
前記音域判定制御手段により判定された音域に関する音域情報を、該音域情報に対応する利用者の識別情報と対応付けてデータベースに記憶させる音域記憶制御手段と、
各利用者に対応して前記データベースに記憶された前記音域情報に基づいて、第１音域と、該第１音域よりも広い音域に対応する第２音域とを、特定する利用者音域特定手段と、
前記多数の楽曲情報のうち、最低音から最高音までの音域が、前記利用者音域特定手段により特定された前記第１音域に適合する単数又は複数の楽曲情報を抽出する第１楽曲抽出制御と、前記第２音域に適合する単数又は複数の楽曲情報を抽出する第２楽曲抽出制御とを、選択的に実行する楽曲抽出制御手段とを、備え、
前記楽曲抽出制御手段は、前記カラオケ装置を用いてカラオケ演奏を行っている複数の利用者が、過去に一緒にカラオケ演奏を行ったことがあるか否かに応じて、前記第１楽曲抽出制御及び前記第２楽曲抽出制御の何れか一方を選択的に実行するものである
ことを特徴とするカラオケシステム。
【請求項７】
多数の楽曲情報から選択される楽曲情報に基づいて演奏曲の出力を行うカラオケ装置を備えたカラオケシステムであって、
音声入力装置から入力された音声情報に基づいて、該音声情報の入力主体である利用者の歌唱音声に係る音域を判定する音域判定制御手段と、
前記音域判定制御手段により判定された音域に関する音域情報を、該音域情報に対応する利用者の識別情報と対応付けてデータベースに記憶させる音域記憶制御手段と、
各利用者に対応して前記データベースに記憶された前記音域情報に基づいて、第１音域と、該第１音域よりも広い音域に対応する第２音域とを、特定する利用者音域特定手段と、
前記多数の楽曲情報のうち、最低音から最高音までの音域が、前記利用者音域特定手段により特定された前記第１音域に適合する単数又は複数の楽曲情報を抽出する第１楽曲抽出制御と、前記第２音域に適合する単数又は複数の楽曲情報を抽出する第２楽曲抽出制御とを、選択的に実行する楽曲抽出制御手段とを、備え、
前記楽曲抽出制御手段は、前記カラオケ装置において所定のアプリが起動しているか否かに応じて、前記第１楽曲抽出制御及び前記第２楽曲抽出制御の何れか一方を選択的に実行するものである
ことを特徴とするカラオケシステム。
【請求項８】
多数の楽曲情報から選択される楽曲情報に基づいて演奏曲の出力を行うカラオケ装置を備えたカラオケシステムに備えられ、前記カラオケ装置との間で情報の通信を行うサーバであって、
音声入力装置から入力された音声情報に基づいて判定される、該音声情報の入力主体である利用者の歌唱音声に係る音域に関する音域情報を、該音域情報に対応する利用者の識別情報と対応付けてデータベースに記憶させる音域記憶制御手段と、
各利用者に対応して前記データベースに記憶された前記音域情報に基づいて、第１音域と、該第１音域よりも広い音域に対応する第２音域とを、特定する利用者音域特定手段と、
前記多数の楽曲情報のうち、最低音から最高音までの音域が、前記利用者音域特定手段により特定された前記第１音域に適合する単数又は複数の楽曲情報を抽出する第１楽曲抽出制御と、前記第２音域に適合する単数又は複数の楽曲情報を抽出する第２楽曲抽出制御とを、選択的に実行する楽曲抽出制御手段とを、備え、
前記利用者音域特定手段は、各利用者に対応して前記データベースに記憶された複数の前記音域情報に関して、規定数以上の音域情報に重複して含まれる音域を前記第１音域として特定し、少なくとも１つの音域情報に含まれる音域を前記第２音域として特定するものである
ことを特徴とするサーバ。
【発明の詳細な説明】
【技術分野】
【０００１】
本発明は、楽曲情報に基づいて演奏曲の出力を行うカラオケ装置を備えたカラオケシステム及びそのカラオケシステムに備えられるサーバに関し、特に、場面に応じて適切な楽曲を抽出するための改良に関する。
【背景技術】
【０００２】
多数の楽曲情報のうちから選択される楽曲情報に基づいて演奏曲の出力を行うカラオケ装置が知られている。例えば、カラオケボックス等で使用されるカラオケ装置がそれである。斯かるカラオケ装置によれば、予め記憶装置に記憶された多数のカラオケ演奏曲から選択されたカラオケ演奏曲の音楽情報を出力させると共に、そのカラオケ演奏曲の歌詞文字映像を所定の背景映像の前面側に合成し、前記音楽情報の出力と併行して画面に表示させることで、所望の歌のカラオケ演奏を楽しむことができる。
【０００３】
前記カラオケシステムにおいて、前記カラオケ装置を用いてカラオケ演奏を行う利用者の歌唱音声に係る音域を判定する技術が提案されている。例えば、特許文献１に記載のカラオケ選曲補助システムがその一例である。この技術によれば、前記カラオケ装置による演奏曲の出力に併行して音声入力装置から入力された音声情報に基づいて、その音声情報の入力主体である利用者の歌唱音声に係る音域を算出する歌唱者音域算出手段と、その歌唱者音域算出手段にて算出された利用者の歌唱音声に係る音域と、各演奏曲の楽曲音域とを比較し、前記利用者の歌唱音声に係る音域に含まれる楽曲音域を備えた演奏曲を選定する音域対応楽曲選定手段と、前記音域対応楽曲選定手段により選定された楽曲を推薦楽曲として表示させる音域対応楽曲表示手段とを、備えていることで、楽曲音域が各利用者の歌唱音域に含まれ、その利用者が上手に歌うことができるものと考えられる楽曲を簡便に推薦できるとされている。
【先行技術文献】
【特許文献】
【０００４】
【特許文献１】特開２００８−１５２１６９号公報
【発明の概要】
【発明が解決しようとする課題】
【０００５】
ところで、前記カラオケ装置を用いたカラオケ演奏においては、一緒にカラオケ演奏を行う利用者の顔ぶれ等に応じて、選曲される演奏曲の方向性が異なってくることが考えられる。例えば、コンパ等で知り合ったばかりの利用者同士が二次会でカラオケ演奏を行う場面においては、各利用者が危なげなく歌うことができる演奏曲を選曲する傾向が生じがちである。一方、一人でカラオケをする場合や気心の知れた友人同士でカラオケ演奏を行う場面においては、各利用者が少し無理をすれば歌うことができる演奏曲をチャレンジ的に選曲する雰囲気となる場合がある。しかし、前記従来の技術では、それぞれ選曲される演奏曲の方向性が異なる場面毎に適切な楽曲を抽出することは困難であった。このような課題は、カラオケシステムの利便性向上を意図して発明者等が鋭意研究を継続する過程において新たに見出したものである。
【０００６】
本発明は、以上の事情を背景として為されたものであり、その目的とするところは、場面に応じて適切な楽曲を抽出するカラオケシステム及びサーバを提供することにある。
【課題を解決するための手段】
【０００７】
斯かる目的を達成するために、本第１発明の要旨とするところは、多数の楽曲情報から選択される楽曲情報に基づいて演奏曲の出力を行うカラオケ装置を備えたカラオケシステムであって、音声入力装置から入力された音声情報に基づいて、その音声情報の入力主体である利用者の歌唱音声に係る音域を判定する音域判定制御手段と、前記音域判定制御手段により判定された音域に関する音域情報を、その音域情報に対応する利用者の識別情報と対応付けてデータベースに記憶させる音域記憶制御手段と、各利用者に対応して前記データベースに記憶された前記音域情報に基づいて、第１音域と、その第１音域よりも広い音域に対応する第２音域とを、特定する利用者音域特定手段と、前記多数の楽曲情報のうち、最低音から最高音までの音域が、前記利用者音域特定手段により特定された前記第１音域に適合する単数又は複数の楽曲情報を抽出する第１楽曲抽出制御と、前記第２音域に適合する単数又は複数の楽曲情報を抽出する第２楽曲抽出制御とを、選択的に実行する楽曲抽出制御手段とを、備え、前記利用者音域特定手段は、各利用者に対応して前記データベースに記憶された複数の前記音域情報に関して、規定数以上の音域情報に重複して含まれる音域を前記第１音域として特定し、少なくとも１つの音域情報に含まれる音域を前記第２音域として特定するものであることを特徴とするものである。
前記目的を達成するために、本第２発明の要旨とするところは、多数の楽曲情報から選択される楽曲情報に基づいて演奏曲の出力を行うカラオケ装置を備えたカラオケシステムであって、音声入力装置から入力された音声情報に基づいて、該音声情報の入力主体である利用者の歌唱音声に係る音域を判定する音域判定制御手段と、前記音域判定制御手段により判定された音域に関する音域情報を、該音域情報に対応する利用者の識別情報と対応付けてデータベースに記憶させる音域記憶制御手段と、各利用者に対応して前記データベースに記憶された前記音域情報に基づいて、第１音域と、該第１音域よりも広い音域に対応する第２音域とを、特定する利用者音域特定手段と、前記多数の楽曲情報のうち、最低音から最高音までの音域が、前記利用者音域特定手段により特定された前記第１音域に適合する単数又は複数の楽曲情報を抽出する第１楽曲抽出制御と、前記第２音域に適合する単数又は複数の楽曲情報を抽出する第２楽曲抽出制御とを、選択的に実行する楽曲抽出制御手段とを、備え、前記楽曲抽出制御手段は、前記カラオケ装置を用いてカラオケ演奏を行っている利用者の人数に応じて、前記第１楽曲抽出制御及び前記第２楽曲抽出制御の何れか一方を選択的に実行するものであることを特徴とするものである。
前記目的を達成するために、本第３発明の要旨とするところは、多数の楽曲情報から選択される楽曲情報に基づいて演奏曲の出力を行うカラオケ装置を備えたカラオケシステムであって、音声入力装置から入力された音声情報に基づいて、該音声情報の入力主体である利用者の歌唱音声に係る音域を判定する音域判定制御手段と、前記音域判定制御手段により判定された音域に関する音域情報を、該音域情報に対応する利用者の識別情報と対応付けてデータベースに記憶させる音域記憶制御手段と、各利用者に対応して前記データベースに記憶された前記音域情報に基づいて、第１音域と、該第１音域よりも広い音域に対応する第２音域とを、特定する利用者音域特定手段と、前記多数の楽曲情報のうち、最低音から最高音までの音域が、前記利用者音域特定手段により特定された前記第１音域に適合する単数又は複数の楽曲情報を抽出する第１楽曲抽出制御と、前記第２音域に適合する単数又は複数の楽曲情報を抽出する第２楽曲抽出制御とを、選択的に実行する楽曲抽出制御手段とを、備え、前記楽曲抽出制御手段は、前記カラオケ装置を用いてカラオケ演奏を行っている利用者の性別に応じて、前記第１楽曲抽出制御及び前記第２楽曲抽出制御の何れか一方を選択的に実行するものであることを特徴とするものである。
前記目的を達成するために、本第４発明の要旨とするところは、多数の楽曲情報から選択される楽曲情報に基づいて演奏曲の出力を行うカラオケ装置を備えたカラオケシステムであって、音声入力装置から入力された音声情報に基づいて、該音声情報の入力主体である利用者の歌唱音声に係る音域を判定する音域判定制御手段と、前記音域判定制御手段により判定された音域に関する音域情報を、該音域情報に対応する利用者の識別情報と対応付けてデータベースに記憶させる音域記憶制御手段と、各利用者に対応して前記データベースに記憶された前記音域情報に基づいて、第１音域と、該第１音域よりも広い音域に対応する第２音域とを、特定する利用者音域特定手段と、前記多数の楽曲情報のうち、最低音から最高音までの音域が、前記利用者音域特定手段により特定された前記第１音域に適合する単数又は複数の楽曲情報を抽出する第１楽曲抽出制御と、前記第２音域に適合する単数又は複数の楽曲情報を抽出する第２楽曲抽出制御とを、選択的に実行する楽曲抽出制御手段とを、備え、前記楽曲抽出制御手段は、前記カラオケ装置を用いてカラオケ演奏を行っている利用者の年齢に応じて、前記第１楽曲抽出制御及び前記第２楽曲抽出制御の何れか一方を選択的に実行するものであることを特徴とするものである。
前記目的を達成するために、本第５発明の要旨とするところは、多数の楽曲情報から選択される楽曲情報に基づいて演奏曲の出力を行うカラオケ装置を備えたカラオケシステムであって、音声入力装置から入力された音声情報に基づいて、該音声情報の入力主体である利用者の歌唱音声に係る音域を判定する音域判定制御手段と、前記音域判定制御手段により判定された音域に関する音域情報を、該音域情報に対応する利用者の識別情報と対応付けてデータベースに記憶させる音域記憶制御手段と、各利用者に対応して前記データベースに記憶された前記音域情報に基づいて、第１音域と、該第１音域よりも広い音域に対応する第２音域とを、特定する利用者音域特定手段と、前記多数の楽曲情報のうち、最低音から最高音までの音域が、前記利用者音域特定手段により特定された前記第１音域に適合する単数又は複数の楽曲情報を抽出する第１楽曲抽出制御と、前記第２音域に適合する単数又は複数の楽曲情報を抽出する第２楽曲抽出制御とを、選択的に実行する楽曲抽出制御手段とを、備え、前記楽曲抽出制御手段は、前記カラオケ装置によるカラオケ演奏において各利用者が現時点までに演奏した演奏曲に応じて、前記第１楽曲抽出制御及び前記第２楽曲抽出制御の何れか一方を選択的に実行するものであることを特徴とするものである。
前記目的を達成するために、本第６発明の要旨とするところは、多数の楽曲情報から選択される楽曲情報に基づいて演奏曲の出力を行うカラオケ装置を備えたカラオケシステムであって、音声入力装置から入力された音声情報に基づいて、該音声情報の入力主体である利用者の歌唱音声に係る音域を判定する音域判定制御手段と、前記音域判定制御手段により判定された音域に関する音域情報を、該音域情報に対応する利用者の識別情報と対応付けてデータベースに記憶させる音域記憶制御手段と、各利用者に対応して前記データベースに記憶された前記音域情報に基づいて、第１音域と、該第１音域よりも広い音域に対応する第２音域とを、特定する利用者音域特定手段と、前記多数の楽曲情報のうち、最低音から最高音までの音域が、前記利用者音域特定手段により特定された前記第１音域に適合する単数又は複数の楽曲情報を抽出する第１楽曲抽出制御と、前記第２音域に適合する単数又は複数の楽曲情報を抽出する第２楽曲抽出制御とを、選択的に実行する楽曲抽出制御手段とを、備え、前記楽曲抽出制御手段は、前記カラオケ装置を用いてカラオケ演奏を行っている複数の利用者が、過去に一緒にカラオケ演奏を行ったことがあるか否かに応じて、前記第１楽曲抽出制御及び前記第２楽曲抽出制御の何れか一方を選択的に実行するものであることを特徴とするものである。
前記目的を達成するために、本第７発明の要旨とするところは、多数の楽曲情報から選択される楽曲情報に基づいて演奏曲の出力を行うカラオケ装置を備えたカラオケシステムであって、音声入力装置から入力された音声情報に基づいて、該音声情報の入力主体である利用者の歌唱音声に係る音域を判定する音域判定制御手段と、前記音域判定制御手段により判定された音域に関する音域情報を、該音域情報に対応する利用者の識別情報と対応付けてデータベースに記憶させる音域記憶制御手段と、各利用者に対応して前記データベースに記憶された前記音域情報に基づいて、第１音域と、該第１音域よりも広い音域に対応する第２音域とを、特定する利用者音域特定手段と、前記多数の楽曲情報のうち、最低音から最高音までの音域が、前記利用者音域特定手段により特定された前記第１音域に適合する単数又は複数の楽曲情報を抽出する第１楽曲抽出制御と、前記第２音域に適合する単数又は複数の楽曲情報を抽出する第２楽曲抽出制御とを、選択的に実行する楽曲抽出制御手段とを、備え、前記楽曲抽出制御手段は、前記カラオケ装置において所定のアプリが起動しているか否かに応じて、前記第１楽曲抽出制御及び前記第２楽曲抽出制御の何れか一方を選択的に実行するものであることを特徴とするものである。
【０００８】
前記目的を達成するために、本第８発明の要旨とするところは、多数の楽曲情報から選択される楽曲情報に基づいて演奏曲の出力を行うカラオケ装置を備えたカラオケシステムに備えられ、前記カラオケ装置との間で情報の通信を行うサーバであって、音声入力装置から入力された音声情報に基づいて判定される、その音声情報の入力主体である利用者の歌唱音声に係る音域に関する音域情報を、その音域情報に対応する利用者の識別情報と対応付けて前記データベースに記憶させる音域記憶制御手段と、各利用者に対応して前記データベースに記憶された前記音域情報に基づいて、第１音域と、その第１音域よりも広い音域に対応する第２音域とを、特定する利用者音域特定手段と、前記多数の楽曲情報のうち、最低音から最高音までの音域が、前記利用者音域特定手段により特定された前記第１音域に適合する単数又は複数の楽曲情報を抽出する第１楽曲抽出制御と、前記第２音域に適合する単数又は複数の楽曲情報を抽出する第２楽曲抽出制御とを、選択的に実行する楽曲抽出制御手段とを、備え、前記利用者音域特定手段は、各利用者に対応して前記データベースに記憶された複数の前記音域情報に関して、規定数以上の音域情報に重複して含まれる音域を前記第１音域として特定し、少なくとも１つの音域情報に含まれる音域を前記第２音域として特定するものであることを特徴とするものである。
【発明の効果】
【０００９】
前記第１発明によれば、各利用者に対応して前記データベースに記憶された前記音域情報に基づいて特定される第１音域、及び、その第１音域よりも広い音域に対応する第２音域それぞれに適合する楽曲情報を適宜抽出できるため、各利用者が危なげなく歌うことができる演奏曲を選曲したい場面、及び、各利用者が少し無理をすれば歌うことができる演奏曲をチャレンジ的に選曲したい場面それぞれについて、適切な楽曲を抽出することができる。すなわち、場面に応じて適切な楽曲を抽出するカラオケシステムを提供することができる。また、前記利用者音域特定手段は、各利用者に対応して前記データベースに記憶された複数の前記音域情報に関して、規定数以上の音域情報に重複して含まれる音域を前記第１音域として特定し、少なくとも１つの音域情報に含まれる音域を前記第２音域として特定するものであるので、各利用者が危なげなく歌うことができる音域に相当する前記第１音域、及び、各利用者が少し無理をすれば歌うことができる音域に相当する前記第２音域を、実用的な態様で好適に特定することができる。
【００１１】
前記第２発明によれば、各利用者に対応して前記データベースに記憶された前記音域情報に基づいて特定される第１音域、及び、その第１音域よりも広い音域に対応する第２音域それぞれに適合する楽曲情報を適宜抽出できるため、各利用者が危なげなく歌うことができる演奏曲を選曲したい場面、及び、各利用者が少し無理をすれば歌うことができる演奏曲をチャレンジ的に選曲したい場面それぞれについて、適切な楽曲を抽出することができる。すなわち、場面に応じて適切な楽曲を抽出するカラオケシステムを提供することができる。また、前記楽曲抽出制御手段は、前記カラオケ装置を用いてカラオケ演奏を行っている利用者の人数に応じて、前記第１楽曲抽出制御及び前記第２楽曲抽出制御の何れか一方を選択的に実行するものであるので、例えば、一緒にカラオケ演奏を行っている利用者の人数が比較的多い場合には、危なげなく歌うことができる音域に対応する楽曲を抽出し、一緒にカラオケ演奏を行っている利用者の人数が比較的少ない場合には、少し無理をすれば歌うことができる音域に相当する音域に対応する楽曲を抽出する等、場面に応じて適切な楽曲抽出を実現できる。
【００１２】
前記第３発明によれば、各利用者に対応して前記データベースに記憶された前記音域情報に基づいて特定される第１音域、及び、その第１音域よりも広い音域に対応する第２音域それぞれに適合する楽曲情報を適宜抽出できるため、各利用者が危なげなく歌うことができる演奏曲を選曲したい場面、及び、各利用者が少し無理をすれば歌うことができる演奏曲をチャレンジ的に選曲したい場面それぞれについて、適切な楽曲を抽出することができる。すなわち、場面に応じて適切な楽曲を抽出するカラオケシステムを提供することができる。また、前記楽曲抽出制御手段は、前記カラオケ装置を用いてカラオケ演奏を行っている利用者の性別に応じて、前記第１楽曲抽出制御及び前記第２楽曲抽出制御の何れか一方を選択的に実行するものであるので、例えば、一緒にカラオケ演奏を行っている利用者に異性が含まれている場合には、危なげなく歌うことができる音域に対応する楽曲を抽出し、一緒にカラオケ演奏を行っている利用者が全員同性である場合には、少し無理をすれば歌うことができる音域に相当する音域に対応する楽曲を抽出する等、場面に応じて適切な楽曲抽出を実現できる。
【００１３】
前記第４発明によれば、各利用者に対応して前記データベースに記憶された前記音域情報に基づいて特定される第１音域、及び、その第１音域よりも広い音域に対応する第２音域それぞれに適合する楽曲情報を適宜抽出できるため、各利用者が危なげなく歌うことができる演奏曲を選曲したい場面、及び、各利用者が少し無理をすれば歌うことができる演奏曲をチャレンジ的に選曲したい場面それぞれについて、適切な楽曲を抽出することができる。すなわち、場面に応じて適切な楽曲を抽出するカラオケシステムを提供することができる。また、前記楽曲抽出制御手段は、前記カラオケ装置を用いてカラオケ演奏を行っている利用者の年齢に応じて、前記第１楽曲抽出制御及び前記第２楽曲抽出制御の何れか一方を選択的に実行するものであるので、例えば、一緒にカラオケ演奏を行っている利用者の年齢に開きがある場合には、危なげなく歌うことができる音域に対応する楽曲を抽出し、一緒にカラオケ演奏を行っている利用者の人数が同世代である場合には、少し無理をすれば歌うことができる音域に相当する音域に対応する楽曲を抽出する等、場面に応じて適切な楽曲抽出を実現できる。
【００１４】
前記第５発明によれば、各利用者に対応して前記データベースに記憶された前記音域情報に基づいて特定される第１音域、及び、その第１音域よりも広い音域に対応する第２音域それぞれに適合する楽曲情報を適宜抽出できるため、各利用者が危なげなく歌うことができる演奏曲を選曲したい場面、及び、各利用者が少し無理をすれば歌うことができる演奏曲をチャレンジ的に選曲したい場面それぞれについて、適切な楽曲を抽出することができる。すなわち、場面に応じて適切な楽曲を抽出するカラオケシステムを提供することができる。また、前記楽曲抽出制御手段は、前記カラオケ装置によるカラオケ演奏において各利用者が現時点までに演奏した演奏曲に応じて、前記第１楽曲抽出制御及び前記第２楽曲抽出制御の何れか一方を選択的に実行するものであるので、例えば、各利用者が現時点までに危なげなく歌うことができる音域に対応する楽曲を多く選曲している場合には、危なげなく歌うことができる音域に対応する楽曲を抽出し、少し無理をすれば歌うことができる音域に相当する楽曲を多く選曲している場合には、少し無理をすれば歌うことができる音域に相当する音域に対応する楽曲を抽出する等、場面に応じて適切な楽曲抽出を実現できる。
【００１５】
前記第６発明によれば、各利用者に対応して前記データベースに記憶された前記音域情報に基づいて特定される第１音域、及び、その第１音域よりも広い音域に対応する第２音域それぞれに適合する楽曲情報を適宜抽出できるため、各利用者が危なげなく歌うことができる演奏曲を選曲したい場面、及び、各利用者が少し無理をすれば歌うことができる演奏曲をチャレンジ的に選曲したい場面それぞれについて、適切な楽曲を抽出することができる。すなわち、場面に応じて適切な楽曲を抽出するカラオケシステムを提供することができる。また、前記楽曲抽出制御手段は、前記カラオケ装置を用いてカラオケ演奏を行っている複数の利用者が、過去に一緒にカラオケ演奏を行ったことがあるか否かに応じて、前記第１楽曲抽出制御及び前記第２楽曲抽出制御の何れか一方を選択的に実行するものであるので、カラオケ演奏を行っている利用者同士が過去に一緒にカラオケ演奏を行ったことがない場合には、危なげなく歌うことができる音域に対応する楽曲を抽出し、過去に一緒にカラオケ演奏を行ったことがある場合には、少し無理をすれば歌うことができる音域に相当する音域に対応する楽曲を抽出する等、場面に応じて適切な楽曲抽出を実現できる。
【００１６】
前記第７発明によれば、各利用者に対応して前記データベースに記憶された前記音域情報に基づいて特定される第１音域、及び、その第１音域よりも広い音域に対応する第２音域それぞれに適合する楽曲情報を適宜抽出できるため、各利用者が危なげなく歌うことができる演奏曲を選曲したい場面、及び、各利用者が少し無理をすれば歌うことができる演奏曲をチャレンジ的に選曲したい場面それぞれについて、適切な楽曲を抽出することができる。すなわち、場面に応じて適切な楽曲を抽出するカラオケシステムを提供することができる。また、前記楽曲抽出制御手段は、前記カラオケ装置において所定のアプリが起動しているか否かに応じて、前記第１楽曲抽出制御及び前記第２楽曲抽出制御の何れか一方を選択的に実行するものであるので、例えば、前記カラオケ装置において演奏評価アプリ等が起動している場合には、評価結果を考慮して危なげなく歌うことができる音域に対応する楽曲を抽出し、演奏評価アプリ等が起動していない場合には、少し無理をすれば歌うことができる音域に相当する音域に対応する楽曲を抽出する等、場面に応じて適切な楽曲抽出を実現できる。
【００１７】
前記第８発明によれば、各利用者に対応して前記データベースに記憶された前記音域情報に基づいて特定される第１音域、及び、その第１音域よりも広い音域に対応する第２音域それぞれに適合する楽曲情報を適宜抽出できるため、各利用者が危なげなく歌うことができる演奏曲を選曲したい場面、及び、各利用者が少し無理をすれば歌うことができる演奏曲をチャレンジ的に選曲したい場面それぞれについて、適切な楽曲を抽出することができる。すなわち、場面に応じて適切な楽曲を抽出するサーバを提供することができる。また、前記利用者音域特定手段は、各利用者に対応して前記データベースに記憶された複数の前記音域情報に関して、規定数以上の音域情報に重複して含まれる音域を前記第１音域として特定し、少なくとも１つの音域情報に含まれる音域を前記第２音域として特定するものであるので、各利用者が危なげなく歌うことができる音域に相当する前記第１音域、及び、各利用者が少し無理をすれば歌うことができる音域に相当する前記第２音域を、実用的な態様で好適に特定することができる。
【図面の簡単な説明】
【００１８】
【図１】本発明の好適な実施例であるカラオケシステムの構成を説明する図である。
【図２】図１に示すカラオケシステムに備えられたカラオケ装置の構成を例示するブロック線図である。
【図３】図１に示すカラオケシステムに備えられたサーバの構成を例示するブロック線図である。
【図４】図２に示すカラオケ装置のＣＰＵ及び図３に示すサーバのＣＰＵに備えられた制御機能の要部を説明する機能ブロック線図である。
【図５】図２に示すカラオケ装置に対応づけられた電子早見本装置のタッチパネルディスプレイに表示されるトップページ画面を例示する図である。
【図６】図２に示すカラオケ装置に対応づけられた電子早見本装置のタッチパネルディスプレイに表示される推薦モード選択画面を例示する図である。
【図７】図２に示すカラオケ装置に対応づけられた電子早見本装置のタッチパネルディスプレイに表示される利用者音域選択画面を例示する図である。
【図８】図２に示すカラオケ装置に対応づけられた電子早見本装置のタッチパネルディスプレイに表示される推薦楽曲表示画面を例示する図である。
【図９】図２に示すカラオケ装置のＣＰＵにより実行される音域判定制御の一例の要部を説明するフローチャートである。
【図１０】図３に示すサーバのＣＰＵにより実行される利用者音域特定制御の一例の要部を説明するフローチャートである。
【図１１】図３に示すサーバのＣＰＵにより実行される楽曲抽出／推薦制御の一例の要部を説明するフローチャートである。
【発明を実施するための形態】
【００１９】
以下、本発明の好適な実施例を図面に基づいて詳細に説明する。
【実施例】
【００２０】
図１は、本発明の好適な実施例であるカラオケシステム１０の構成を説明する図である。この図１に示すカラオケシステム１０においては、カラオケボックス、スナック、旅館等の店舗１２における複数の個室１４ａ、１４ｂ、１４ｃ、・・・（以下、特に区別しない場合には単に個室１４という）にそれぞれ１台乃至は複数台ずつ（図１では１台ずつ）のカラオケ装置１６ａ、１６ｂ、１６ｃ、・・・（以下、特に区別しない場合には単にカラオケ装置１６という）が設置されている。これら複数のカラオケ装置１６は、ルータ２２を介して通信回線２０に接続されており、同様にその通信回線２０に接続されたサーバ１８等との相互間でその通信回線２０を介して情報の通信が可能とされている。すなわち、本実施例のカラオケシステム１０は、前記複数のカラオケ装置１６と、前記サーバ１８等とが、前記通信回線２０を介して相互に通信可能に接続された通信カラオケシステムである。
【００２１】
前記カラオケシステム１０は、複数の電子早見本装置２８ａ、２８ｂ、２８ｃ、・・・（以下、特に区別しない場合には単に電子早見本装置２８という）を備えており、前記カラオケ装置１６の利用に際して、各利用者（グループ）毎に１台乃至数台ずつの前記電子早見本装置２８が貸与され、各個室１４において後述するように前記カラオケ装置１６との間で対応付け処理が行われることで、そのカラオケ装置１６の遠隔操作装置として用いられるようになっている。図１に示すように、前記店舗１２内には前記複数のカラオケ装置１６を相互に接続するＬＡＮ２４が敷設されており、前記電子早見本装置２８からのカラオケ装置１６への入力は、所定のアクセスポイント２６及びＬＡＮ２４を介したＬＡＮ通信等により行われる。
【００２２】
前記通信回線２０は、例えば公衆電話回線、ＡＤＳＬ回線、或いは光ファイバ回線等から構成されるＷＷＷ（World Wide Web）等のインターネットに接続された広域情報通信網である。前記サーバ１８は、例えば、前記カラオケシステム１０を管理する情報配信サービス提供会社によって運営されるサーバであり、そのカラオケシステム１０における楽曲情報（カラオケデータ）、背景映像情報、曲間情報等のデジタルコンテンツ（Digital Contents）の保管や入出力管理の基本的な制御を行うセンタ装置として機能する。前記カラオケシステム１０を利用する各利用者毎の、前記カラオケ装置１６を用いたカラオケ演奏に関する情報を、その利用者の識別情報（ユーザＩＤ）と対応付けて記憶するＳＮＳ（Social Network Service）データベース等を管理するデータベースサーバとして機能する。本実施例においては、前記カラオケシステム１０のセンタ装置としての機能及びデータベースサーバとしての機能を兼ね備えた単一の前記サーバ１８を備えた構成について説明するが、それらセンタ装置及びデータベースサーバが個別のサーバ装置として構成されたものであってもよい。
【００２３】
図１に示すように、前記カラオケシステム１０は、前記通信回線２０を介して複数のシステム乃至通信端末装置との間で相互に情報の送受信が可能とされている。すなわち、携帯型情報通信端末としての複数の携帯電話機３０等が、中継基地局３２を介して前記通信回線２０に接続されており、それら携帯電話機３０等と前記サーバ１８等との間で相互に情報の送受信が可能とされている。前記携帯電話機３０は、好適には、タッチパネルディスプレイを有すると共に、そのタッチパネルディスプレイを介しての操作に応じた前記通信回線２０へのアクセス機能をはじめとする各種機能を有する所謂スマートフォンである。前記携帯電話機３０は、好適には、後述するカラオケ装置１６と同様に、電子回路により音を合成し、各種音色を発生するシンセサイザ（synthesizer）を備えることで、多数の楽曲情報のうちから選択される所定の楽曲情報に対応する演奏曲を出力させるカラオケ装置として機能する。
【００２４】
図２は、前記カラオケシステム１０に備えられたカラオケ装置１６の構成を例示するブロック線図である。この図２に示すように、前記カラオケ装置１６は、中央演算処理装置であるＣＰＵ４２と、読出専用メモリであるＲＯＭ４４と、随時書込読出メモリであるＲＡＭ４６と、記憶装置であるハードディスク４８と、グラフィックスチップ（グラフィックスボード）等の映像処理部５０と、サウンドチップ（サウンドボード）等の音声処理部５２と、操作パネル５４と、表示制御部５６及び入力制御部５８を介して前記ＣＰＵ４２に接続されたタッチパネルディスプレイ６０と、ＬＡＮインターフェイス６６と、無線通信部６８と、ビデオ出力端子７０を介して前記映像処理部５０に接続された映像表示装置であるディスプレイ７２と、オーディオ入力端子７４を介して前記音声処理部５２に接続された音声入力装置であるマイクロフォン７６と、オーディオ出力端子７８を介して前記音声処理部５２に接続された音声増幅装置であるアンプ８０と、そのアンプ８０に備えられた音声出力装置であるスピーカ８２とを、備えて構成されている。
【００２５】
前記ＣＰＵ４２は、前記ＲＡＭ４６の一時記憶機能を利用しつつ前記ＲＯＭ４４に予め記憶された所定のプログラムに基づいて電子情報を処理・制御する所謂マイクロコンピュータであり、前記カラオケ装置１６における各種制御を実行する。すなわち、前記操作パネル５４、タッチパネルディスプレイ６０、或いは電子早見本装置２８等により所定の楽曲（カラオケ演奏曲）が選曲入力された場合、その選曲入力された楽曲を前記ＲＡＭ４６等に設けられた予約曲テーブルに登録する選曲予約制御、その予約曲テーブルの演奏順に従って前記ハードディスク４８から前記ＲＡＭ４６に選曲されたカラオケ演奏曲の演奏情報及び歌詞情報（楽曲情報）を読み出す楽曲情報読出制御、楽曲の演奏進行に応じてそのＲＡＭ４６から前記音声処理部５２へ演奏情報を送信する演奏出力制御、その演奏出力制御に際して前記ＲＡＭ４６に展開された歌詞情報に基づいて歌詞文字映像を生成して前記映像処理部５０へ送信する歌詞文字映像出力制御、前記演奏出力制御に際して前記映像処理部５０を制御して所定の背景映像を再生させる背景映像出力制御、及びカラオケ演奏が行われていない間すなわち曲間において、新譜情報、選曲ランキング、店舗広告等の曲間情報を出力させる曲間情報出力制御等の基本的な制御に加えて、後述する本実施例の音域判定制御を実行する。
【００２６】
前記映像処理部５０は、前記ディスプレイ７２に表示される画面（映像）の描画に係る各種制御を行う。例えば、前記ＣＰＵ４２から供給されるデータに基づいてグラフィックスメモリにそのデータを書き込み、そのデータを読み出すことによって前記ビデオ出力端子７０を介して前記ディスプレイ７２に所定の画面を表示させる制御を行う。具体的には、前記カラオケ装置１６による楽曲の演奏出力（カラオケ演奏）に際して、前記ＣＰＵ４２において生成された歌詞文字映像等の文字映像（テロップ）を出力させたり、前記ハードディスク４８に記憶されたＭＰＥＧ（Moving Picture Experts Group）データ等の背景映像情報に基づいて所定の背景映像を再生（デコード）させたり、その背景映像の前面側に前記歌詞文字映像を合成させて前記ディスプレイ７２に表示させたり、その歌詞文字映像を前記楽曲の演奏進行に応じて順次色替わり表示させる等の各種表示制御を行う。本実施例においては、前記映像処理部５０により前記ディスプレイ７２の表示制御を行う一方、後述する表示制御部５６により前記タッチパネルディスプレイ６０（表示装置６２）の表示制御を行う態様について説明するが、前記映像処理部５０により前記タッチパネルディスプレイ６０の表示制御をも行う態様も考えられる。この態様において、前記表示制御部５６は必ずしも設けられなくともよい。
【００２７】
前記音声処理部５２は、ＦＭ音源やＰＣＭ音源等の各種音源を備え、前記カラオケ装置１６による音声出力に係る各種制御を行う。好適には、電子回路により音を合成し、各種音色を発生するシンセサイザ（synthesizer）を備えている。このシンセサイザは、前記ハードディスク４８から読み出されて送られて来るカラオケ演奏曲の演奏情報に基づいて楽器の演奏信号等の音楽信号を生成する。前記シンセサイザは、好適には、ＭＩＤＩ（Musical Instrument Digital Interface）端子を備えたものであり、前記演奏情報は、例えばＭＩＤＩ形式のデータである。そのＭＩＤＩデータに基づいて前記シンセサイザにより生成された音楽信号は、前記マイクロフォン７６から前記オーディオ入力端子７４を介して入力される利用者（演奏者）の歌声とミキシングされ、前記オーディオ出力端子７８を介して前記アンプ８０に供給されてそのアンプ８０により増幅されて前記スピーカ８２から出力される。
【００２８】
前記操作パネル５４は、前記カラオケ装置１６の利用者が歌いたい楽曲を選択したり、楽曲の演奏出力に係る音程を調整したり、演奏と歌との音量バランスを調整したり、その他、エコー、音量、トーン等の各種調整を行うための操作ボタン（スイッチ）或いはつまみを備えた入力装置である。前記タッチパネルディスプレイ６０は、画像（映像）を表示させると共に利用者の操作に応じて前記カラオケ装置１６への操作入力を行う装置であり、そのタッチパネルディスプレイ６０に所定の画像（映像）を表示させる表示装置６２と、利用者の指や図示しない備え付けのペン等による前記タッチパネルディスプレイ６０への接触により入力を行うタッチパネル６４とを、備えている。前記表示制御部５６は、前記ＣＰＵ４２から供給される情報に基づいて前記表示装置６２に表示される画面（映像）の描画を制御する映像処理部である。前記入力制御部５８は、前記タッチパネル６４により入力される操作入力情報を前記ＣＰＵ４２等に供給する入力処理部である。以上の構成を備えていることで、前記タッチパネルディスプレイ６０は、前記ディスプレイ７２とは別に第２の映像表示装置として機能すると共に、前記カラオケ装置１６の利用者が歌いたい楽曲を選択したり、楽曲の演奏出力に係る音程を調整したり、演奏と歌との音量バランスを調整したり、その他、エコー、音量、トーン等の各種調整を行うための入力装置として機能する。
【００２９】
前記ＬＡＮインターフェイス６６は、前記カラオケ装置１６をＬＡＮ接続端子８４を介して前記ＬＡＮ２４に接続するための接続器であり、そのように前記ＬＡＮ２４に接続されることで、前記カラオケ装置１６は、同様に前記ＬＡＮ２４に接続された前記電子早見本装置２８等の他の機器との間で情報の送受信が可能とされる。前記カラオケ装置１６が設置される店舗等に複数台のカラオケ装置１６が備えられている場合において、同様に前記ＬＡＮ２４に接続されたカラオケ装置１６相互間において情報の送受信が可能とされる。例えば、前記ＬＡＮ２４に接続されたアクセスポイント２６を介して受信される電子早見本装置２８からの選曲入力を受け付けて前記ＲＡＭ４６に設けられた予約曲テーブルに記憶したり、そのアクセスポイント２６を介して前記カラオケ装置１６から電子早見本装置２８へ所定の情報を送信したりというように、電波を介して前記カラオケ装置１６と電子早見本装置２８との間における相互の情報のやりとりが実行される。
【００３０】
前記カラオケ装置１６は、図１に示すように、前記ＬＡＮ２４及びルータ２２等を介して前記通信回線２０に接続されており、同様にその通信回線２０に接続された他の機器との相互間でその通信回線２０を介して情報の通信が可能とされている。好適には、前記通信回線２０を介して前記サーバ１８に接続されており、そのサーバ１８から楽曲情報（カラオケデータ）、背景映像情報、及び曲間情報等のデジタルコンテンツ（Digital Contents）の配信を受け付けるものである。すなわち、前記カラオケ装置１６は、所定の通信回線に接続されてサーバとの間で各種情報の送受信を行う通信カラオケ装置である。
【００３１】
前記無線通信部６８は、前記カラオケ装置１６と前記電子早見本装置２８等の入力装置との間の無線通信を行う。例えば、前記電子早見本装置２８等の入力装置から送信されるリモコン信号を受信するリモコン受信部として機能する。前記カラオケ装置１６と電子早見本装置２８との対応付け（くくりつけ）処理は、好適には、斯かるリモコン信号（赤外線信号）により前記無線通信部６８を介して行われる。すなわち、前記電子早見本装置２８は、それぞれ個別のシリアル番号を有しており、前記対応付け処理においては、例えばそのシリアル番号（例えば、下４桁）及び所定の接続コードを含む信号が接続通知として前記カラオケ装置１６へ送信され、前記無線通信部６８によりその接続信号を受信したカラオケ装置１６に対して前記電子早見本装置２８が対応付けられる。そのようにして前記カラオケ装置１６に対応付けられた電子早見本装置２８は、そのカラオケ装置１６の入力装置（遠隔操作装置）として機能し、その電子早見本装置２８から送信される信号が前記ＣＰＵ４２に供給されることで、前記カラオケ装置１６の利用者が歌いたい楽曲を選択したり、楽曲の演奏出力に係る音程を調整したり、演奏と歌との音量バランスを調整したり、その他、エコー、音量、トーン等の各種調整を行うための入力が受け付けられるようになっている。前記対応付け処理が行われた後、前記電子早見本装置２８と前記カラオケ装置１６との間の通信は、前記ＬＡＮ２４及びアクセスポイント２６等を介したＬＡＮ通信により行われる。本実施例においては、前記カラオケ装置１６に対応付け処理の行われた電子早見本装置２８等の入力装置もそのカラオケ装置１６の一部を構成するものであるとして以下の説明を行う。
【００３２】
図３は、前記カラオケシステム１０に備えられたサーバ１８の構成を説明する図である。この図３に示すように、前記サーバ１８は、中央演算処理装置であるＣＰＵ９０、読出専用メモリであるＲＯＭ９２、及び随時書込読出メモリであるＲＡＭ９４を備え、前記ＣＰＵ９０によりＲＡＭ９４の一時記憶機能を利用しつつＲＯＭ９２に予め記憶されたプログラムに従って信号処理を行う所謂コンピュータである。ＴＦＴやＰＤＰ等の映像表示装置９６と、その映像表示装置９６による映像の表示を制御するためのビデオボード（グラフィックスチップ）等の映像処理部９８と、キーボード等の入力装置１００と、その入力装置１００による入力を処理するためのインターフェイス１０２と、前記ＣＰＵ９０等を前記通信回線２０に接続するためのモデム１０４とを、備えて構成されている。
【００３３】
図３に示すように、前記サーバ１８は、楽曲データベース１０６及びＳＮＳデータベース１０８をはじめとする各種データベースを備えている。この楽曲データベース１０６は、前記カラオケシステム１０における前記カラオケ装置１６等に配信するための多数の楽曲情報（カラオケデータ）を記憶するものであり、新しく作成された楽曲情報はこの楽曲データベース１０６に蓄積される。そして、所定の配信制御プログラムにより定期的に、或いは前記カラオケ装置１６等からの配信要求に応じて、随時新たな楽曲情報が前記サーバ１８の楽曲データベース１０６から前記通信回線２０を介して配信され、前記カラオケ装置１６等に配信される。前記カラオケ装置１６に配信された楽曲情報が、そのカラオケ装置１６に備えられた前記ハードディスク４８等に蓄積されることで、そのハードディスク４８等に前記楽曲データベース１０６と同様のデータベースが形成されるものであってもよい。
【００３４】
前記楽曲データベース１０６は、前記カラオケ装置１６により出力可能な楽曲にそれぞれ対応する多数（例えば、数万曲分）の楽曲情報（カラオケデータ）を記憶する。この楽曲情報は、前記音声処理部５２により所定の楽器の演奏音を生成するための演奏情報と、歌詞文字映像（歌詞テロップ）を生成するための歌詞情報と、その歌詞情報に基づいて生成された歌詞文字映像を演奏の進行に合わせて順次色替わりさせてゆくための歌詞色替情報とを、含むものであり、コンテンツＩＤである各楽曲に固有の選曲番号により識別される。前記楽曲情報には、属性情報として、その楽曲の曲名、アーティスト名（歌手名）、発表年月日、曲の長さ（演奏時間）、ジャンル、テンポ、及び曲調等の情報が、例えばメタデータ（Ｍｅｔａ情報）等に記憶されている。このジャンルとは、Ｊ−ｐｏｐ（ポップス）、ロックンロール、Ｒ＆Ｂ、テクノ、レゲエ、演歌、軍歌、アニメソング、邦楽、洋楽等の演奏曲の分類や、ドラマ、夏、懐メロ、恋愛、自然、酒、海、川等の演奏曲の曲調を表すキーワード等であり、各楽曲情報はそれら複数のジャンルのうち少なくとも１つのジャンルに属するものである。前記楽曲データベース１０６には、好適には、ＭＩＤＩ形式のデータを前記演奏情報として含むスタンダードタイプの楽曲情報と、例えばＭＰＥＧ形式等のデータを前記演奏情報として含む生演奏タイプの楽曲情報とが記憶される。これらスタンダードタイプの楽曲情報及び生演奏タイプの楽曲情報は、同一の演奏曲に対応する別個の楽曲情報（それぞれ異なる選曲番号に対応）として前記楽曲データベース１０６に記憶される。
【００３５】
前記ＳＮＳデータベース１０８は、前記カラオケシステム１０の利用者を対象とするソーシャルネットワークサービス（Social Network Service）に係る各種情報を記憶する。このソーシャルネットワークサービスとは、例えば、予め会員登録された会員相互間に限定して情報の閲覧等のサービスを提供する会員制のコミュニティ型のウェブサイトをいう。以下の説明において、ソーシャルネットワークサービスをＳＮＳと略いう。前記ＳＮＳデータベース１０８は、前記カラオケシステム１０を利用する各利用者毎の、前記カラオケ装置１６を用いたカラオケ演奏に関する情報を、その利用者の識別情報（ユーザＩＤ）と対応付けて記憶する記憶装置である。このＳＮＳデータベース１０８には、ユーザＩＤにより識別される各利用者毎に、例えばその利用者の名前（ニックネーム）、生年月日、実際の年齢、性別、メールアドレス、利用者の住所又は居所に対応する地域、血液型、星座、ＳＮＳへのログイン認証に用いられるパスワード、パスワードを忘れたときのための質問及び解答、アバタ（ネット上において利用者を象徴する人型映像）に関する情報、及び利用者の歌年齢等の情報がその利用者のユーザＩＤと対応付けられて記憶される。前記歌年齢とは、利用者の楽曲の好みの傾向がどの程度の年代（何歳）に相当するものかを示す仮想的な年齢情報であり、対象となる利用者が前記カラオケ装置１６において過去に選曲（演奏）した楽曲に基づいて判断される値である。
【００３６】
前記ＳＮＳデータベース１０８には、各利用者の前記カラオケ装置１６を用いたカラオケ演奏に関する情報として、例えばその利用者が過去に利用したカラオケ装置１６に対応する店舗１２（そのカラオケ装置１６が設置された店舗１２）に関する情報である来店履歴、その利用者が前記カラオケ装置１６によるカラオケ演奏において十八番曲或いはお気に入りとして登録した楽曲（簡易な操作により選曲入力を行い得るように設定された楽曲）に関する情報、その利用者が過去に前記カラオケ装置１６によるカラオケ演奏において選曲した選曲履歴（カラオケ装置１６において過去に選曲された楽曲の履歴）に関する情報、その利用者が前記カラオケ装置１６によるカラオケ演奏において過去に行った演奏評価の評価結果に関する情報、及びその利用者がフレンドとして登録した他の利用者に関する情報等が各利用者毎にその利用者のユーザＩＤと対応付けられて記憶される。本実施例においては、前記選曲履歴が、各利用者が前記カラオケ装置１６を用いて演奏した演奏曲の演奏履歴に相当する。前記フレンドとは、本実施例のＳＮＳにおいて、フレンドではない不特定多数の利用者とは一線を画す関係であることを示す身分であり、例えば、前記ＳＮＳデータベース１０８に記憶された所定の利用者に対応する情報のうち、公開レベルが「友達」とされた情報に関しては、その利用者のフレンドとして登録されている利用者は閲覧できるが、フレンドとして登録されていない利用者は閲覧できない。このフレンド登録に関する情報は、各利用者に関連する情報として前記ＳＮＳデータベース１０８に記憶されるものであってもよいし、例えばフレンド登録された利用者それぞれのユーザＩＤを別途登録するというように前記ＳＮＳデータベース１０８とは別のデータベースに記憶されるものであってもよい。好適には、フレンド登録の申し込みがあった場合に、一律にフレンド登録を行うのではなく、申し込まれた利用者の許可を待ってその申し込みに係るフレンド登録を行う。
【００３７】
図４は、前記カラオケ装置１６のＣＰＵ４２及び前記サーバ１８のＣＰＵ９０に備えられた制御機能の要部を説明する機能ブロック線図である。この図４に示すカラオケ演奏制御手段１１０及び音域判定制御手段１１２は、好適には、前記カラオケ装置１６のＣＰＵ４２に機能的に備えられたものである。音域記憶制御手段１１４、利用者音域特定手段１１６、楽曲抽出制御手段１１８、及び楽曲推薦制御手段１２０は、好適には、前記サーバ１８のＣＰＵ９０に機能的に備えられたものである。図４に示す各制御手段は、前記カラオケシステム１０の形態に応じて別の装置に備えられたものであってもよい。例えば、前記音域判定制御手段１１２が前記サーバ１８のＣＰＵ９０或いは前記電子早見本装置２８のＣＰＵに機能的に備えられたものであってもよい。前記楽曲推薦制御手段１２０が前記カラオケ装置１６のＣＰＵ４２に備えられたものであってもよい。
【００３８】
前記カラオケ演奏制御手段１１０は、前記カラオケ装置１６によるカラオケ演奏に際しての演奏曲の出力を制御する。前記電子早見本装置２８等の入力装置により前記カラオケ装置１６に対する選曲入力操作が行われると、選曲入力された演奏曲の識別情報である選曲番号が前記ＲＡＭ４６等の予約曲テーブルに記憶される。好適には、前記電子早見本装置２８においては、選曲主体（操作主体）である利用者を切り替えて選曲入力操作を行うことができるようになっており、前記電子早見本装置２８により前記カラオケ装置１６に対する選曲入力操作が行われると、選曲入力された演奏曲の選曲番号が、その演奏曲の選曲主体である利用者のユーザＩＤと対応づけられて前記ＲＡＭ４６等の予約曲テーブルに記憶される。前記カラオケ演奏制御手段１１０は、前記ＲＡＭ４６等の予約曲テーブルにおける上位の予約曲から順に（すなわち入力順に）、その予約曲テーブルに記憶された予約曲の選曲番号に対応する楽曲情報を前記ハードディスク４８の楽曲データベースから読み出し、その楽曲情報に含まれる演奏情報に基づいて演奏曲の出力を制御する。例えば、演奏情報としてのＭＩＤＩデータに基づいて、前記音声処理部５２によりそのＭＩＤＩデータにおける楽譜情報としてのトラック乃至チャンネルに対応する楽器の演奏音（音楽情報）を出力させ、前記アンプ８０等を介して前記スピーカ８２から出力させる。斯かる処理と併行し、楽曲情報に含まれる歌詞情報に基づいて演奏曲に係る歌詞文字映像の出力を制御する。すなわち、歌詞情報に基づいて歌詞文字映像を生成し、前記映像処理部５０を介してその歌詞文字映像を前記ディスプレイ７２に表示させる。また、カラオケ演奏の進行に伴い、その歌詞文字映像を切替表示させると共に、歌詞色替情報に基づいて歌詞文字映像を順次色替え表示させる。
【００３９】
前記音域判定制御手段１１２は、音声入力装置である前記マイクロフォン７６から入力された音声情報に基づいて、その音声情報の入力主体である利用者の歌唱音声に係る音域を判定する。本実施例において、歌唱音声に係る音域とは、その歌唱音声に関して適切に発声できている音域をいい、以下に説明するようにして判定される最低音から最高音までの音の範囲をいう。前記音域判定制御手段１１２は、好適には、前記カラオケ演奏制御手段１１０による演奏曲の出力に際して、前記マイクロフォン７６から入力された音声情報に基づいて、その演奏曲に対応する前記利用者の歌唱音声に係る音域を判定する。具体的には、前記カラオケ演奏制御手段１１０による演奏曲の出力と併行して、前記マイクロフォン７６から入力される音声に対応して、音程及びテンポを評価基準とする評価を行う。例えば、前記演奏曲の出力に際して、前記音声処理部５２を介して出力されるその演奏曲のピッチ（音程）及びテンポと、前記マイクロフォン７６により入力される音声情報のピッチ及びテンポとを比較することにより、前記マイクロフォン７６から入力される歌唱音声において、前記演奏曲の各テンポにおけるピッチが正しく発声できているか否かを判定する。そして、判定対象となる演奏曲１曲の演奏を通して、正しく発声できていたと判定された最低音から最高音までの音域を、前記演奏曲に対応する前記利用者の歌唱音声に係る音域として判定する。
【００４０】
前記音域記憶制御手段１１４は、前記音域判定制御手段１１２により判定された音域に関する音域情報を、その音域情報に対応する利用者の識別情報すなわちユーザＩＤと対応付けて前記ＳＮＳデータベース１０８に記憶させる。好適には、前記カラオケ演奏制御手段１１０による演奏曲の出力に際して、前記音域判定制御手段１１２により判定された音域に関する音域情報を、前記演奏曲の識別情報すなわち選曲番号及び前記音域情報に対応する利用者のユーザＩＤと対応付けて前記ＳＮＳデータベース１０８に記憶させる。ここで、前記音域情報に対応する利用者とは、好適には、前記音域判定制御手段１１２の判定対象となった演奏曲の演奏主体（基本的には、音声情報の入力主体）としての利用者であり、具体的には、前記演奏曲（楽曲情報）の選曲主体である利用者である。前記音域記憶制御手段１１４は、例えば、前記音域情報を、前記演奏曲の出力に係る選曲履歴に付随する情報として、その演奏曲の選曲主体である利用者のユーザＩＤと対応付けて前記ＳＮＳデータベース１０８に記憶させる。或いは、前記音域情報を、前記演奏曲の出力に係る選曲履歴とは別の情報として、その選曲履歴及び前記利用者のユーザＩＤと対応付けて前記ＳＮＳデータベース１０８に記憶させる。
【００４１】
前記利用者音域特定手段１１６は、各利用者に対応して前記ＳＮＳデータベース１０８に記憶された音域情報に基づいて、その利用者の歌唱音声に係る安定音域及びチャレンジ音域を判定する。ここで、安定音域とは、各利用者が危なげなく発声できる音域に相当する。チャレンジ音域とは、各利用者が少し無理をすれば発声できる音域を含む音域に相当する。好適には、前記チャレンジ音域は、前記安定音域を包含し且つその安定音域よりも広い音域に相当する。すなわち、本実施例においては、前記安定音域が第１音域に対応し、前記チャレンジ音域がその第１音域よりも広い音域に対応する第２音域に対応する。
【００４２】
前記利用者音域特定手段１１６は、好適には、各利用者に対応して前記ＳＮＳデータベース１０８に記憶された複数の前記音域情報に関して、規定数以上の音域情報に重複して含まれる音域を前記安定音域として特定し、少なくとも１つの音域情報に含まれる音域を前記チャレンジ音域として特定する。例えば、各利用者に対応して前記ＳＮＳデータベース１０８に記憶された複数の選曲履歴にそれぞれ対応する音域情報に関して、３曲分の選曲履歴にそれぞれ対応する音域情報に重複（共通）して含まれる音域を前記安定音域として特定する。或いは、全ての選曲履歴にそれぞれ対応する音域情報に重複して含まれる音域を前記安定音域として特定するものであってもよい。各利用者に対応して前記ＳＮＳデータベース１０８に記憶された複数の選曲履歴にそれぞれ対応する音域情報に関して、少なくとも１曲に対応する音域情報に含まれる音域を前記チャレンジ音域として特定する。すなわち、各利用者に対応して前記ＳＮＳデータベース１０８に記憶された全ての選曲履歴にそれぞれ対応する音域情報における最低音から最高音までの音域を前記チャレンジ音域として特定する。或いは、前記安定音域の判定に係る規定数よりも少ない音域情報に重複して含まれる音域を前記チャレンジ音域として特定する。例えば、３曲分の選曲履歴にそれぞれ対応する音域情報に重複して含まれる音域を前記安定音域として特定する態様において、２曲分の選曲履歴にそれぞれ対応する音域情報に重複して含まれる音域を前記チャレンジ音域として特定する。前記利用者音域特定手段１１６は、以上のようにして特定された前記安定音域及びチャレンジ音域を、各利用者のユーザＩＤと対応付けて前記ＳＮＳデータベース１０８に記憶させる。
【００４３】
前記楽曲推薦制御手段１２０は、前記楽曲データベース１０６に記憶された多数の楽曲情報から、以下に詳述するように楽曲抽出制御手段１１８により抽出される楽曲情報を、各利用者に対する推薦楽曲として提示する。例えば、前記電子早見本装置２８等の入力装置により、所定の楽曲推薦開始操作が行われた場合、前記楽曲データベース１０６に記憶された多数の楽曲情報から、前記楽曲抽出制御手段１１８を介して単数乃至複数の楽曲情報を抽出し、抽出された楽曲情報を後述する図８に示すように前記電子早見本装置２８等に選択入力可能に表示させる。
【００４４】
図５は、前記電子早見本装置２８のタッチパネルディスプレイに表示されるトップページ画面１２２を例示する図である。このトップページ画面１２２は、前記電子早見本装置２８により前記カラオケ装置１６等に関する各種操作を行うためのボタンを表示する画面である。前記トップページ画面１２２には、前記楽曲推薦を開始するための楽曲推薦開始ボタン１２４が表示される。前記電子早見本装置２８の画面（タッチパネル）における前記楽曲推薦開始ボタン１２４に対応する箇所への接触操作（以下、接触入力操作という）が行われた場合、図６に示すような推薦モード選択画面１２６が前記電子早見本装置２８のタッチパネルディスプレイに表示される。この推薦モード選択画面１２６には、前記楽曲データベース１０６に記憶された多数の楽曲情報のうちから、各利用者の歌唱音声に対応する音域（安定音域又はチャレンジ音域）に基づいて楽曲の推薦を行う音域情報推薦を開始するための音域推薦モード開始ボタン１３０が表示される。この音域推薦モード開始ボタン１３０に対する接触入力操作が行われた場合、以下に詳述する前記楽曲抽出制御手段１１８による本実施例の楽曲抽出制御が開始される。
【００４５】
前記楽曲抽出制御手段１１８は、前記楽曲データベース１０６に記憶された多数の楽曲情報のうち、最低音から最高音までの音域が、各利用者に対応する前記安定音域に適合する単数又は複数の楽曲情報を抽出する第１楽曲抽出制御と、前記チャレンジ音域に適合する単数又は複数の楽曲情報を抽出する第２楽曲抽出制御とを、選択的に実行する。すなわち、前記第１楽曲抽出制御においては、前記楽曲データベース１０６に記憶された多数の楽曲情報のうち、その楽曲情報に含まれる演奏情報における最低音から最高音までの音域が、各利用者に対応して前記ＳＮＳデータベース１０８に記憶された前記安定音域に適合する単数又は複数の楽曲情報を抽出する。好適には、演奏情報における最低音から最高音までの音域が、各利用者に対応する前記安定音域に収まる（安定音域を逸脱しない）楽曲情報を、前記楽曲データベース１０６に記憶された多数の楽曲情報から抽出する。前記第２楽曲抽出制御においては、前記楽曲データベース１０６に記憶された多数の楽曲情報のうち、その楽曲情報に含まれる演奏情報における最低音から最高音までの音域が、各利用者に対応して前記ＳＮＳデータベース１０８に記憶された前記チャレンジ音域に適合する単数又は複数の楽曲情報を抽出する。好適には、演奏情報における最低音から最高音までの音域が、各利用者に対応する前記チャレンジ音域に収まる（チャレンジ音域を逸脱しない）楽曲情報を、前記楽曲データベース１０６に記憶された多数の楽曲情報から抽出する。
【００４６】
前記楽曲抽出制御手段１１８は、好適には、前記第２楽曲抽出制御においては、前記第１楽曲抽出制御において抽出される楽曲情報を、抽出の対象から除外する。すなわち、前記楽曲データベース１０６に記憶された多数の楽曲情報のうち、前記第１楽曲抽出制御において抽出される楽曲情報以外の楽曲情報であって、前記チャレンジ音域に適合する単数又は複数の楽曲情報を抽出する。換言すれば、最低音及び最高音の少なくとも一方が、前記チャレンジ音域には含まれるが前記安定音域に含まれない音域内の音程となる単数又は複数の楽曲情報を、前記楽曲データベース１０６に記憶された多数の楽曲情報から抽出する。
【００４７】
前記楽曲抽出制御手段１１８は、好適には、前記電子早見本装置２８等の入力装置による所定の選択入力操作に応じて、前記第１楽曲抽出制御及び前記第２楽曲抽出制御の何れか一方を選択的に実行する。図７は、前記推薦モード選択画面１２６において前記音域推薦モード開始ボタン１３０に対する接触入力操作が行われた場合に前記電子早見本装置２８のタッチパネルディスプレイに表示される利用者音域選択画面１３２を例示する図である。この利用者音域選択画面１３２には、前記第１楽曲抽出制御を開始するための第１楽曲抽出制御開始ボタン１３４と、前記第２楽曲抽出制御を開始するための第２楽曲抽出制御開始ボタン１３６と、前記楽曲データベース１０６に記憶された多数の楽曲情報のうち、推薦対象となる利用者とは性別が異なるアーティストに対応する楽曲情報を抽出する異性楽曲抽出制御を開始するための異性楽曲抽出制御開始ボタン１３８と、ピアノの鍵盤上に推薦対象となる利用者の歌唱音声に対応する音域（安定音域及びチャレンジ音域）を示す利用者音域画像１４０とが、表示される。この利用者音域画像１４０において、「あんしん音域」と示されている音域（すなわち、レ（２）からド（５）までの音域）が、前記利用者に対応する安定音域に相当する。「あんしん音域」と示されている音域に「危険」と示されている音域を加えた音域（すなわち、ラ（１）からファ（５）までの音域）が、前記利用者に対応するチャレンジ音域に相当する。前記異性楽曲抽出制御開始ボタン１３８に対する接触入力操作が行われた場合の制御については説明を省略する。前記第１楽曲抽出制御開始ボタン１３４に対する接触入力操作が行われた場合、前記第１楽曲抽出制御が開始される。前記第２楽曲抽出制御開始ボタン１３６に対する接触入力操作が行われた場合、前記第２楽曲抽出制御が開始される。すなわち、推薦対象となる利用者の希望に応じて、前記第１楽曲抽出制御及び前記第２楽曲抽出制御の何れか一方が選択され、選択された方の抽出制御が実行される。
【００４８】
前記楽曲抽出制御手段１１８は、好適には、前記カラオケ装置１６を用いてカラオケ演奏を行っている利用者それぞれに対応して前記ＳＮＳデータベース１０８に記憶された情報に基づいて、前記第１楽曲抽出制御及び前記第２楽曲抽出制御の何れか一方を選択的に実行する。前記カラオケ装置１６を用いたカラオケ演奏において、好適には、各利用者がそれぞれのユーザＩＤをもって前記ＳＮＳへのログイン認証を行う。前記楽曲抽出制御手段１１８は、好適には、前記カラオケ装置１６において正常にログイン認証された利用者それぞれに対応して前記ＳＮＳデータベース１０８に記憶された性別、年齢、選曲履歴、来店履歴等の情報に基づいて、前記第１楽曲抽出制御及び前記第２楽曲抽出制御の何れか一方を選択的に実行する。以下、斯かる制御の具体例を詳細に説明する。
【００４９】
前記楽曲抽出制御手段１１８は、好適には、前記カラオケ装置１６を用いてカラオケ演奏を行っている利用者の人数に応じて、前記第１楽曲抽出制御及び前記第２楽曲抽出制御の何れか一方を選択的に実行する。例えば、その時点において同一の前記カラオケ装置１６（好適には、同一のカラオケ装置１６に対応づけられた電子早見本装置２８、以下の説明において同じ）により正常にログイン認証されている利用者の人数に応じて、前記第１楽曲抽出制御及び前記第２楽曲抽出制御の何れか一方を選択的に実行する。前記カラオケ装置１６に備えられた図示しないデジタルカメラ等により撮影された映像情報を解析すること、或いは前記店舗１２等における飲食物注文システムにおける情報を分析すること等により、前記カラオケ装置１６を用いてカラオケ演奏を行っている利用者の人数を判定し、その人数に応じて、前記第１楽曲抽出制御及び前記第２楽曲抽出制御の何れか一方を選択的に実行するものであってもよい。好適には、前記カラオケ装置１６を用いてカラオケ演奏を行っている利用者の人数が規定の閾値（例えば、５人）以上である場合には、前記第１楽曲抽出制御を実行するが、前記閾値未満である場合には、前記第２楽曲抽出制御を実行する。或いは、前記カラオケ装置１６を用いてカラオケ演奏を行っている利用者の人数が規定の閾値未満である場合には、前記第１楽曲抽出制御を実行するが、前記閾値以上である場合には、前記第２楽曲抽出制御を実行するものであってもよい。
【００５０】
前記楽曲抽出制御手段１１８は、好適には、前記カラオケ装置１６を用いてカラオケ演奏を行っている利用者の性別に応じて、前記第１楽曲抽出制御及び前記第２楽曲抽出制御の何れか一方を選択的に実行する。例えば、その時点において同一の前記カラオケ装置１６により正常にログイン認証されている利用者に対応して、前記ＳＮＳデータベース１０８に記憶された各利用者の性別に応じて、前記第１楽曲抽出制御及び前記第２楽曲抽出制御の何れか一方を選択的に実行する。好適には、前記カラオケ装置１６を用いてカラオケ演奏を行っている利用者に異性が含まれている場合には、前記第１楽曲抽出制御を実行するが、全員同性である場合には、前記第２楽曲抽出制御を実行する。或いは、前記カラオケ装置１６を用いてカラオケ演奏を行っている利用者が全員同性である場合には、前記第１楽曲抽出制御を実行するが、異性が含まれている場合には、前記第２楽曲抽出制御を実行するものであってもよい。
【００５１】
前記楽曲抽出制御手段１１８は、好適には、前記カラオケ装置１６を用いてカラオケ演奏を行っている利用者の年齢に応じて、前記第１楽曲抽出制御及び前記第２楽曲抽出制御の何れか一方を選択的に実行する。例えば、その時点において同一の前記カラオケ装置１６により正常にログイン認証されている利用者に対応して、前記ＳＮＳデータベース１０８に記憶された各利用者の年齢に応じて、前記第１楽曲抽出制御及び前記第２楽曲抽出制御の何れか一方を選択的に実行する。好適には、前記カラオケ装置１６を用いてカラオケ演奏を行っている利用者全員の年齢が規定の範囲（例えば、１０代、２０代、・・・、６０代といった年代範囲）内に収まる場合には、前記第２楽曲抽出制御を実行するが、斯かる範囲を逸脱する利用者が存在する場合には、前記第１楽曲抽出制御を実行する。或いは、前記カラオケ装置１６を用いてカラオケ演奏を行っている利用者全員の年齢が規定の範囲内に収まる場合には、前記第１楽曲抽出制御を実行するが、斯かる範囲を逸脱する利用者が存在する場合には、前記第２楽曲抽出制御を実行するものであってもよい。
【００５２】
前記楽曲抽出制御手段１１８は、好適には、前記カラオケ装置１６を用いてカラオケ演奏を行っている利用者に対応する、過去に前記カラオケ装置１６を用いて演奏した演奏曲の演奏履歴に応じて、前記第１楽曲抽出制御及び前記第２楽曲抽出制御の何れか一方を選択的に実行する。例えば、楽曲の推薦対象となる利用者（その時点における電子早見本装置２８の操作主体である利用者、以下の説明において同じ）に対応して、前記ＳＮＳデータベース１０８に記憶された選曲履歴に応じて、前記第１楽曲抽出制御及び前記第２楽曲抽出制御の何れか一方を選択的に実行する。好適には、楽曲の推薦対象となる利用者に対応して前記ＳＮＳデータベース１０８に記憶された選曲履歴に対応する楽曲情報が、前記安定音域に含まれる傾向にある場合には、前記第１楽曲抽出制御を実行するが、前記チャレンジ音域に含まれる傾向にある場合には、前記第２楽曲抽出制御を実行する。具体的には、楽曲の推薦対象となる利用者に対応して前記ＳＮＳデータベース１０８に記憶された選曲履歴に対応する楽曲情報のうち、最低音から最高音までの音域が前記安定音域を逸脱する楽曲情報が規定数未満である場合には、前記第１楽曲抽出制御を実行するが、規定数以上である場合には、前記第２楽曲抽出制御を実行する。或いは、楽曲の推薦対象となる利用者に対応して前記ＳＮＳデータベース１０８に記憶された選曲履歴に対応する楽曲情報のうち、最低音から最高音までの音域が前記安定音域を逸脱する楽曲情報が規定数以上である場合には、前記第１楽曲抽出制御を実行するが、規定数未満である場合には、前記第２楽曲抽出制御を実行するものであってもよい。
【００５３】
前記楽曲抽出制御手段１１８は、好適には、前記カラオケ装置１６によるカラオケ演奏において各利用者が演奏開始から現時点までに演奏した演奏曲に応じて、前記第１楽曲抽出制御及び前記第２楽曲抽出制御の何れか一方を選択的に実行する。例えば、楽曲の推薦対象となる利用者が、前記カラオケ装置１６により正常にログイン認証を行ってカラオケ演奏を開始してから、その時点までに前記カラオケ装置１６を用いて演奏した楽曲情報の履歴（すなわち、予約曲テーブルにその利用者のユーザＩＤに対応づけられて記憶された楽曲情報）に応じて、前記第１楽曲抽出制御及び前記第２楽曲抽出制御の何れか一方を選択的に実行する。換言すれば、前記楽曲抽出制御手段１１８は、好適には、前記カラオケ装置１６によるカラオケ演奏において各利用者が演奏開始から現時点までに選曲した演奏曲すなわち予約曲テーブルに各利用者の予約曲として記憶された演奏曲に応じて、前記第１楽曲抽出制御及び前記第２楽曲抽出制御の何れか一方を選択的に実行する。好適には、楽曲の推薦対象となる利用者により演奏開始から現時点までに演奏された演奏曲に対応する楽曲情報が、前記安定音域に含まれる傾向にある場合には、前記第１楽曲抽出制御を実行するが、前記チャレンジ音域に含まれる傾向にある場合には、前記第２楽曲抽出制御を実行する。具体的には、楽曲の推薦対象となる利用者により演奏開始から現時点までに演奏された演奏曲に対応する楽曲情報のうち、最低音から最高音までの音域が前記安定音域を逸脱する楽曲情報が規定数未満である場合には、前記第１楽曲抽出制御を実行するが、規定数以上である場合には、前記第２楽曲抽出制御を実行する。或いは、楽曲の推薦対象となる利用者により演奏開始から現時点までに演奏された演奏曲に対応する楽曲情報のうち、最低音から最高音までの音域が前記安定音域を逸脱する楽曲情報が規定数以上である場合には、前記第１楽曲抽出制御を実行するが、規定数未満である場合には、前記第２楽曲抽出制御を実行するものであってもよい。
【００５４】
前記楽曲抽出制御手段１１８は、好適には、前記カラオケ装置１６を用いてカラオケ演奏を行っている複数の利用者が、過去に一緒にカラオケ演奏を行ったことがあるか否かに応じて、前記第１楽曲抽出制御及び前記第２楽曲抽出制御の何れか一方を選択的に実行する。例えば、その時点において同一の前記カラオケ装置１６により正常にログイン認証されている利用者に対応して、前記ＳＮＳデータベース１０８に記憶された各利用者の来店履歴等に応じて、前記第１楽曲抽出制御及び前記第２楽曲抽出制御の何れか一方を選択的に実行する。好適には、前記カラオケ装置１６を用いてカラオケ演奏を行っている利用者同士が過去に一緒にカラオケ演奏を行ったことがない場合には、前記第１楽曲抽出制御を実行するが、過去に一緒にカラオケ演奏を行ったことがある場合には、前記第２楽曲抽出制御を実行する。或いは、前記カラオケ装置１６を用いてカラオケ演奏を行っている利用者同士が過去に一緒にカラオケ演奏を行ったことがある場合には、前記第１楽曲抽出制御を実行するが、過去に一緒にカラオケ演奏を行ったことがない場合には、前記第２楽曲抽出制御を実行するものであってもよい。
【００５５】
前記楽曲抽出制御手段１１８は、好適には、前記カラオケ装置１６によるカラオケ演奏の演奏開始からの経過時間に応じて、前記第１楽曲抽出制御及び前記第２楽曲抽出制御の何れか一方を選択的に実行する。例えば、楽曲の推薦対象となる利用者が、前記カラオケ装置１６により正常にログイン認証を行ってカラオケ演奏を開始してからその時点までの経過時間に応じて、前記第１楽曲抽出制御及び前記第２楽曲抽出制御の何れか一方を選択的に実行する。好適には、前記カラオケ装置１６によるカラオケ演奏の演奏開始からの経過時間が規定の閾値（例えば、３０分）未満である場合には、前記第１楽曲抽出制御を実行するが、前記閾値以上である場合には、前記第２楽曲抽出制御を実行する。或いは、前記カラオケ装置１６によるカラオケ演奏の演奏開始からの経過時間が規定の閾値以上である場合には、前記第１楽曲抽出制御を実行するが、前記閾値未満である場合には、前記第２楽曲抽出制御を実行するものであってもよい。
【００５６】
前記楽曲抽出制御手段１１８は、好適には、前記カラオケ装置１６において所定のアプリが起動しているか否かに応じて、前記第１楽曲抽出制御及び前記第２楽曲抽出制御の何れか一方を選択的に実行する。例えば、前記カラオケ演奏制御手段１１０による演奏曲の出力と併行して、前記マイクロフォン７６から入力される音声情報に基づいて演奏評価を行う演奏評価アプリ（演奏評価機能）が起動しているか否かに応じて、前記第１楽曲抽出制御及び前記第２楽曲抽出制御の何れか一方を選択的に実行する。好適には、前記カラオケ装置１６において演奏評価アプリ等が起動している場合には、前記第１楽曲抽出制御を実行するが、起動していない場合には、前記第２楽曲抽出制御を実行する。或いは、前記カラオケ装置１６において演奏評価アプリ等が起動していない場合には、前記第１楽曲抽出制御を実行するが、起動している場合には、前記第２楽曲抽出制御を実行するものであってもよい。
【００５７】
図８は、前記電子早見本装置２８のタッチパネルディスプレイに表示される推薦楽曲表示画面１４２を例示する図である。前記利用者音域選択画面１３２において、前記第１楽曲抽出制御開始ボタン１３４又は前記第２楽曲抽出制御開始ボタン１３６に対する接触入力操作が行われる等して、前記楽曲抽出制御手段１１８により単数又は複数の楽曲情報が抽出された場合、前記楽曲推薦制御手段１２０は、前記楽曲抽出制御手段１１８により抽出された楽曲情報を、前記電子早見本装置２８のタッチパネルディスプレイに選択入力可能に表示させる。例えば、図８に示す推薦楽曲表示画面１４２には、前記楽曲抽出制御手段１１８により抽出された複数の楽曲情報にそれぞれ対応する楽曲ボタン１４４ａ〜１４４ｅ（以下、特に区別しない場合には単に楽曲ボタン１４４という）が表示される。前記推薦楽曲表示画面１４２において、何れかの楽曲ボタン１４４に対する接触入力操作が行われた場合、前記電子早見本装置２８により前記カラオケ装置１６に対してその楽曲ボタン１４４に対応する選曲入力操作が行われ、前記楽曲ボタン１４４に対応する演奏曲の選曲番号が、前記電子早見本装置２８の操作主体である利用者のユーザＩＤと対応づけられて前記予約曲テーブルに記憶される。
【００５８】
図９は、前記カラオケ装置１６のＣＰＵ４２により実行される音域判定制御の一例の要部を説明するフローチャートであり、所定の周期で繰り返し実行されるものである。
【００５９】
先ず、ステップ（以下、ステップを省略する）ＳＡ１において、前記予約曲テーブルにおける最上位の予約曲の演奏順となる等して、その予約曲に対応する楽曲情報に基づく演奏曲の出力が開始されるか否かが判断される。このＳＡ１の判断が否定される場合には、それをもって本ルーチンが終了させられるが、ＳＡ１の判断が肯定される場合には、ＳＡ２において、前記楽曲情報に基づく演奏曲の出力と併行して、前記マイクロフォン７６から入力される音声情報に基づいて、その音声情報の入力主体である利用者の歌唱音声に係る音域が判定される。次に、ＳＡ３において、楽曲情報に基づく演奏曲の出力が終了させられるか否かが判断される。このＳＡ３の判断が否定される場合には、ＳＡ２以下の処理が再び実行されるが、ＳＡ３の判断が肯定される場合には、ＳＡ４において、ＳＡ２にて判定された音域に関する音域情報、前記楽曲情報の選曲番号、及び前記楽曲情報の選曲主体である利用者のユーザＩＤが対応づけられ、前記通信回線２０を介して前記サーバ１８へ送信された後、本ルーチンが終了させられる。
【００６０】
図１０は、前記サーバ１８のＣＰＵ９０により実行される利用者音域特定制御の一例の要部を説明するフローチャートであり、所定の周期で繰り返し実行されるものである。
【００６１】
先ず、ＳＢ１において、前記カラオケ装置１６から前記通信回線２０を介して受信された選曲番号及び音域情報が、それらに対応づけられたユーザＩＤに対応する利用者の選曲履歴として、前記ＳＮＳデータベース１０８に記憶される。次に、ＳＢ２において、各利用者に対応して前記ＳＮＳデータベース１０８に記憶された複数の選曲番号（選曲履歴）に対応する音域情報が読み出され、それぞれの音域幅（最低音から最高音までの音域）が特定される。次に、ＳＢ３において、ＳＢ２にて特定された複数の音域幅に関して、所定数（例えば、３曲分）の音域幅に重複して含まれる音域が、前記利用者に対応する安定音域として特定される。次に、ＳＢ４において、ＳＢ２にて特定された複数の音域幅に関して、少なくとも１つの音域幅に含まれる音域が、前記利用者に対応するチャレンジ音域として特定される。次に、ＳＢ５において、ＳＢ３にて特定された安定音域及びＳＢ４にて特定されたチャレンジ音域が、前記利用者のユーザＩＤと対応づけられて前記ＳＮＳデータベース１０８に記憶された後、本ルーチンが終了させられる。図１０に示す制御において、前記ＳＢ３における安定音域の特定（更新）及び前記ＳＢ４におけるチャレンジ音域の特定（更新）は、前記電子早見本装置２８等を介して利用者からの推薦曲提示要求があった際に実行されるものであってもよい。
【００６２】
図１１は、前記サーバ１８のＣＰＵ９０により実行される楽曲抽出／推薦制御の一例の要部を説明するフローチャートであり、所定の周期で繰り返し実行されるものである。
【００６３】
先ず、ＳＣ１において、前記電子早見本装置２８等の入力装置による所定の入力操作、或いは前記カラオケ装置１６を用いてカラオケ演奏を行っている利用者の性別、年齢、選曲履歴、来店履歴等の情報に基づいて、楽曲抽出に係る音域として前記安定音域及び前記チャレンジ音域の何れか一方が決定される。次に、ＳＣ２において、ＳＣ１にて楽曲抽出に係る音域として前記安定音域が決定されたか否かが判断される。このＳＣ２の判断が否定される場合には、ＳＣ６以下の処理が実行されるが、ＳＣ２の判断が肯定される場合には、ＳＣ３において、楽曲推薦の対象となる利用者のユーザＩＤに対応づけられて前記ＳＮＳデータベース１０８に記憶された安定音域が読み出される。次に、ＳＣ４において、前記楽曲データベース１０６に記憶された多数の楽曲情報のうち、最低音から最高音までの音域が、ＳＣ３にて読み出された安定音域に適合する単数又は複数の楽曲情報が抽出される。次に、ＳＣ５において、ＳＣ４にて抽出された楽曲情報が、前記利用者に対する推薦楽曲として、例えば前記電子早見本装置２８等に選曲入力可能に表示された後、本ルーチンが終了させられる。ＳＣ６においては、ＳＣ１にて楽曲抽出に係る音域として前記チャレンジ音域が決定されたか否かが判断される。このＳＣ６の判断が否定される場合には、それをもって本ルーチンが終了させられるが、ＳＣ６の判断が肯定される場合には、ＳＣ７において、楽曲推薦の対象となる利用者のユーザＩＤに対応づけられて前記ＳＮＳデータベース１０８に記憶されたチャレンジ音域が読み出される。次に、ＳＣ８において、前記楽曲データベース１０６に記憶された多数の楽曲情報のうち、最低音から最高音までの音域が、ＳＣ７にて読み出されたチャレンジ音域に適合する単数又は複数の楽曲情報が抽出される。次に、ＳＣ９において、ＳＣ８にて抽出された楽曲情報が、前記利用者に対する推薦楽曲として、例えば前記電子早見本装置２８等に選曲入力可能に表示された後、本ルーチンが終了させられる。
【００６４】
以上の制御において、ＳＡ１及びＳＡ３が前記カラオケ演奏制御手段１１０の動作に、ＳＡ２及びＳＡ４が前記音域判定制御手段１１２の動作に、ＳＢ１が前記音域記憶制御手段１１４の動作に、ＳＢ２〜ＳＢ５が前記利用者音域特定手段１１６の動作に、ＳＣ１〜ＳＣ４及びＳＣ６〜ＳＣ８が前記楽曲抽出制御手段１１８の動作に、ＳＣ５、及びＳＣ９が前記楽曲推薦制御手段１２０の動作に、それぞれ対応する。
【００６５】
本実施例によれば、各利用者に対応して前記ＳＮＳデータベース１０８に記憶された前記音域情報に基づいて特定される第１音域としての安定音域、及び、その安定音域よりも広い音域に対応する第２音域としてのチャレンジ音域それぞれに適合する楽曲情報を適宜抽出できるため、各利用者が危なげなく歌うことができる演奏曲を選曲したい場面、及び、各利用者が少し無理をすれば歌うことができる演奏曲をチャレンジ的に選曲したい場面それぞれについて、適切な楽曲を抽出することができる。すなわち、場面に応じて適切な楽曲を抽出するカラオケシステム１０を提供することができる。
【００６６】
前記利用者音域特定手段１１６（ＳＢ２〜ＳＢ５）は、各利用者に対応して前記ＳＮＳデータベース１０８に記憶された複数の前記音域情報に関して、規定数以上の音域情報に重複して含まれる音域を前記安定音域として特定し、少なくとも１つの音域情報に含まれる音域を前記チャレンジ音域として特定するものであるため、各利用者が危なげなく歌うことができる音域に相当する前記安定音域、及び、各利用者が少し無理をすれば歌うことができる音域に相当する前記チャレンジ音域を、実用的な態様で好適に特定することができる。
【００６７】
前記楽曲抽出制御手段１１８（ＳＣ１〜ＳＣ４及びＳＣ６〜ＳＣ８）は、前記カラオケ装置１６を用いてカラオケ演奏を行っている利用者の人数に応じて、前記第１楽曲抽出制御及び前記第２楽曲抽出制御の何れか一方を選択的に実行するものであるため、例えば、一緒にカラオケ演奏を行っている利用者の人数が比較的多い場合には、危なげなく歌うことができる音域に対応する楽曲を抽出し、一緒にカラオケ演奏を行っている利用者の人数が比較的少ない場合には、少し無理をすれば歌うことができる音域に相当する音域に対応する楽曲を抽出する等、場面に応じて適切な楽曲抽出を実現できる。
【００６８】
前記楽曲抽出制御手段１１８は、前記カラオケ装置１６を用いてカラオケ演奏を行っている利用者の性別に応じて、前記第１楽曲抽出制御及び前記第２楽曲抽出制御の何れか一方を選択的に実行するものであるため、例えば、一緒にカラオケ演奏を行っている利用者に異性が含まれている場合には、危なげなく歌うことができる音域に対応する楽曲を抽出し、一緒にカラオケ演奏を行っている利用者が全員同性である場合には、少し無理をすれば歌うことができる音域に相当する音域に対応する楽曲を抽出する等、場面に応じて適切な楽曲抽出を実現できる。
【００６９】
前記楽曲抽出制御手段１１８は、前記カラオケ装置１６を用いてカラオケ演奏を行っている利用者の年齢に応じて、前記第１楽曲抽出制御及び前記第２楽曲抽出制御の何れか一方を選択的に実行するものであるため、例えば、一緒にカラオケ演奏を行っている利用者の年齢に開きがある場合には、危なげなく歌うことができる音域に対応する楽曲を抽出し、一緒にカラオケ演奏を行っている利用者の人数が同世代である場合には、少し無理をすれば歌うことができる音域に相当する音域に対応する楽曲を抽出する等、場面に応じて適切な楽曲抽出を実現できる。
【００７０】
前記楽曲抽出制御手段１１８は、前記カラオケ装置１６を用いてカラオケ演奏を行っている利用者に対応する、過去に前記カラオケ装置１６を用いて演奏した演奏曲の演奏履歴に応じて、前記第１楽曲抽出制御及び前記第２楽曲抽出制御の何れか一方を選択的に実行するものであるため、例えば、前記カラオケ装置１６を用いてカラオケ演奏を行っている利用者の演奏履歴に、その利用者が危なげなく歌うことができる音域に対応する楽曲が多く含まれる場合には、危なげなく歌うことができる音域に対応する楽曲を抽出し、少し無理をすれば歌うことができる音域に相当する楽曲が多く含まれる場合には、少し無理をすれば歌うことができる音域に相当する音域に対応する楽曲を抽出する等、場面に応じて適切な楽曲抽出を実現できる。
【００７１】
前記楽曲抽出制御手段１１８は、前記カラオケ装置１６によるカラオケ演奏において各利用者が演奏開始から現時点までに演奏した演奏曲に応じて、前記第１楽曲抽出制御及び前記第２楽曲抽出制御の何れか一方を選択的に実行するものであるため、例えば、各利用者が演奏開始から現時点までに危なげなく歌うことができる音域に対応する楽曲を多く選曲している場合には、危なげなく歌うことができる音域に対応する楽曲を抽出し、少し無理をすれば歌うことができる音域に相当する楽曲を多く選曲している場合には、少し無理をすれば歌うことができる音域に相当する音域に対応する楽曲を抽出する等、場面に応じて適切な楽曲抽出を実現できる。
【００７２】
前記楽曲抽出制御手段１１８は、前記カラオケ装置１６を用いてカラオケ演奏を行っている複数の利用者が、過去に一緒にカラオケ演奏を行ったことがあるか否かに応じて、前記第１楽曲抽出制御及び前記第２楽曲抽出制御の何れか一方を選択的に実行するものであるため、例えば、カラオケ演奏を行っている利用者同士が過去に一緒にカラオケ演奏を行ったことがない場合には、危なげなく歌うことができる音域に対応する楽曲を抽出し、過去に一緒にカラオケ演奏を行ったことがある場合には、少し無理をすれば歌うことができる音域に相当する音域に対応する楽曲を抽出する等、場面に応じて適切な楽曲抽出を実現できる。
【００７３】
前記楽曲抽出制御手段１１８は、前記カラオケ装置１６において所定のアプリが起動しているか否かに応じて、前記第１楽曲抽出制御及び前記第２楽曲抽出制御の何れか一方を選択的に実行するものであるため、例えば、前記カラオケ装置１６において演奏評価アプリ等が起動している場合には、評価結果を考慮して危なげなく歌うことができる音域に対応する楽曲を抽出し、演奏評価アプリ等が起動していない場合には、少し無理をすれば歌うことができる音域に相当する音域に対応する楽曲を抽出する等、場面に応じて適切な楽曲抽出を実現できる。
【００７４】
本実施例によれば、各利用者に対応して前記ＳＮＳデータベース１０８に記憶された音域情報に基づいて特定される第１音域、及び、その第１音域よりも広い音域に対応する第２音域それぞれに適合する楽曲情報を適宜抽出できるため、各利用者が危なげなく歌うことができる演奏曲を選曲したい場面、及び、各利用者が少し無理をすれば歌うことができる演奏曲をチャレンジ的に選曲したい場面それぞれについて、適切な楽曲を抽出することができる。すなわち、場面に応じて適切な楽曲を抽出するサーバ１８を提供することができる。
【００７５】
以上、本発明の好適な実施例を図面に基づいて詳細に説明したが、本発明はこれに限定されるものではなく、更に別の態様においても実施される。
【００７６】
例えば、前述の実施例においては、前記カラオケ演奏制御手段１１０及び前記音域判定制御手段１１２が前記カラオケ装置１６のＣＰＵ４２に、前記音域記憶制御手段１１４、前記利用者音域特定手段１１６、前記楽曲抽出制御手段１１８、及び前記楽曲推薦制御手段１２０が前記サーバ１８のＣＰＵ９０に、それぞれ機能的に備えられた構成について説明したが、本発明はこれに限定されるものではなく、更に別の態様においても実施される。例えば、図４に示す各制御手段すなわち前記カラオケ演奏制御手段１１０、前記音域判定制御手段１１２、前記音域記憶制御手段１１４、前記利用者音域特定手段１１６、前記楽曲抽出制御手段１１８、及び前記楽曲推薦制御手段１２０が何れも前記カラオケ装置１６のＣＰＵ４２に機能的に備えられ、そのカラオケ装置１６内で制御が完結するものであってもよい。斯かる態様において、前記ＳＮＳデータベース１０８は、前記カラオケ装置１６のハードディスク４８等に設けられる。すなわち、本発明は、通信回線に接続されない非通信型のカラオケ装置にも好適に適用される。
【００７７】
前述の実施例においては、前記音域判定制御手段１１２により判定された音域に関する音域情報が、その判定に際して出力されていた演奏曲に係る選曲履歴に付随する情報として、各利用者毎に前記ＳＮＳデータベース１０８に記憶される態様について説明したが、前記音域情報は、必ずしも選曲履歴（選曲番号）に対応づけられて前記ＳＮＳデータベース１０８に記憶されるものでなくともよく、演奏曲とは切り離された独立の情報として各利用者毎に前記ＳＮＳデータベース１０８に記憶されるものであってもよい。
【００７８】
前述の実施例において、前記利用者音域特定手段１１６は、各利用者に対応して前記ＳＮＳデータベース１０８に記憶された前記音域情報に基づいて、第１音域としての安定音域と、その安定音域よりも広い音域に対応する第２音域としてのチャレンジ音域とを、特定するものであったが、前記第１音域及び第２音域に加えて、例えば前記第２音域よりも更に広い音域に対応する第３音域を特定するものであってもよい。斯かる態様において、好適には、前記楽曲抽出制御手段１１８は、前記第１楽曲抽出制御、第２楽曲抽出制御、及び、前記多数の楽曲情報のうち、最低音から最高音までの音域が、前記利用者音域特定手段１１６により特定された前記第３音域に適合する単数又は複数の楽曲情報を抽出する第３楽曲抽出制御の何れかを選択的に実行する。
【００７９】
前述の実施例において、前記楽曲推薦制御手段１２０は、前記楽曲抽出制御手段１１８により抽出された楽曲情報を、前記電子早見本装置２８のタッチパネルディスプレイに選曲入力可能に表示させるものであったが、前記楽曲抽出制御手段１１８により抽出された楽曲情報を、前記カラオケ装置１６に備えられた前記タッチパネルディスプレイ６０に表示させるものであってもよい。或いは、前記楽曲抽出制御手段１１８により抽出された楽曲情報を、前記通信回線２０に接続された図示しないパーソナルコンピュータの画面、或いは前記携帯電話機３０の画面に表示させるものであってもよい。更に、前記携帯電話機３０が、前記カラオケ装置１６に対する入力装置として機能させられるものである場合には、前記楽曲抽出制御手段１１８により抽出された楽曲情報を、前記携帯電話機３０の画面に選曲入力可能に表示させるものであってもよい。前記携帯電話機３０がカラオケ装置として機能するものである場合、前記楽曲抽出制御手段１１８により抽出された楽曲情報を、前記携帯電話機３０の画面に選曲入力可能に表示させると共に、何れかの楽曲に対する選択操作が行われた場合、その楽曲を前記携帯電話機３０により出力させるものであってもよい。
【００８０】
その他、一々例示はしないが、本発明はその趣旨を逸脱しない範囲内において種々の変更が加えられて実施されるものである。
【符号の説明】
【００８１】
１０：カラオケシステム、１６：カラオケ装置、１８：サーバ、２０：通信回線、７６：マイクロフォン（音声入力装置）、１０８：ＳＮＳデータベース、１１２：音域判定制御手段、１１４：音域記憶制御手段、１１６：利用者音域特定手段、１１８：楽曲抽出制御手段
【図１】
0006317655.tif 000002
【図２】
0006317655.tif 000003
【図３】
0006317655.tif 000004
【図４】
0006317655.tif 000005
【図５】
0006317655.tif 000006
【図６】
0006317655.tif 000007
【図７】
0006317655.tif 000008
【図８】
0006317655.tif 000009
【図９】
0006317655.tif 000010
【図１０】
0006317655.tif 000011
【図１１】
0006317655.tif 000012